(57)【要約】【課題】光源消灯時に外光が入射しても外観にシームレス感を持つ表示装置を提供する。【解決手段】光源２の点灯／消灯と、発光領域ｂの形状により使用者に情報を示す表示装置において、表示基材４ａの後面表面に低反射処理層４ｂを設けた。これにより、光源消灯時に外光が入射しても第一の遮光領域ａ１と発光領域ｂの外観差が低減される。【選択図】図２
2019056735.tif 000002
【特許請求の範囲】
【請求項１】
光源と、
前記光源を実装する回路基盤と、
前記光源による光線の出射方向を制限する遮光壁と、
前記光源からの光線が遮光壁によって制限されない前記遮光壁の開口方向に設けられ、光源側表面に低反射処理が施され、所定の領域に第一の遮光領域を規定するように印刷された暗色の印刷層を有する表示板と、
を備えることを特徴とする表示装置。
【請求項２】
前記光源からの光線が前記遮光壁によって制限されない前記遮光壁の開口方向に拡散板を備える請求項１記載の表示装置。
【請求項３】
前記遮光壁に暗色の塗装が施された請求項１または請求項２記載の表示装置。
【請求項４】
前記回路基盤の前記光源が実装された表面に暗色の塗装が施された請求項１乃至請求項３記載の表示装置。
【請求項５】
前記表示装置の表示領域の内、前記第一の遮光領域の他に、前記印刷層に遮光されず、前記遮光壁にのみ遮光される第二の遮光領域を有する請求項１乃至請求項４記載の表示装置。
【請求項６】
前記表示板が透光性有色部を有する請求項１乃至請求項５記載の表示装置。
【請求項７】
使用者から見て前記表示板の手前に前面パネルを設ける請求項１乃至請求項６記載の表示装置。
【請求項８】
前記前面パネルが透光性有色部を有する請求項７記載の表示装置。
【請求項９】
前記前面パネルと前記表示板が有する透光性有色部の内、前記表示板に施した透光性有色部の透光率の方が小さい請求項６に従属する請求項８記載の表示装置。
【発明の詳細な説明】
【技術分野】
【０００１】
本発明は、表示装置に関する。
【背景技術】
【０００２】
遮光壁及び印刷層で区切られた発光領域を持ち、基盤に実装されたＬＥＤなどの光源を個別に点灯させ、その発光領域の形と、点灯させる光源の組み合わせとによって数字やアイコンを表現する表示装置がある。
【先行技術文献】
【特許文献】
【０００３】
【特許文献１】特開２０１４−９１４７７号公報
【発明の概要】
【発明が解決しようとする課題】
【０００４】
ところが上述の表示装置においては、光源消灯時に表示領域が外光に照らされると、遮光領域と発光領域とでは外光の反射の仕方が異なり、遮光領域と発光領域との間で外観に差が生じ、一体感が損なわれるという問題があった。
【０００５】
そこで本発明の目的とするところは、上述課題に着目し、光源消灯時においても遮光領域と発光領域との外観差が少なく、シームレス感のある表示装置を提供することにある
【課題を解決するための手段】
【０００６】
上述の課題を解決するため本開示では、光源と、前記光源を実装する回路基盤と、前記光源の発光領域をその開口部により規定する遮光壁と、前記遮光壁の上部に設けられ、所定の領域に第一の遮光領域を規定するように印刷された印刷層を有する表示板と、
を備えることを特徴とする表示装置において、前記表示板の光源側表面に低反射処理層を設けた。
【発明の効果】
【０００７】
本発明によれば光源消灯時においても遮光領域と発光領域との外観差が少なく、シームレス感のある表示装置を提供することを達する。
【図面の簡単な説明】
【０００８】
【図１】本開示の第一の実施形態に係る表示装置の外観を示す正面図である。
【図２】本開示の第一の実施形態に係る表示装置の要部断面を示す図である。
【図３】本開示の第二の実施形態に係る表示装置の要部断面を示す図である。
【図４】本開示の第二の実施形態に係る表示装置の変形例を示す図である。
【発明を実施するための形態】
【０００９】
以下、本開示の第一の実施形態に係る表示装置を図示例を用いつつ説明する。
【００１０】
図１は、表示装置の表示例を示す図であり、図２はその要部断面図を示す。
【００１１】
本開示の表示装置は、内側からの照明光の点灯／消灯により、所定形状が発光表示されることによって、所望の情報を示すものであり、使用者（視認者）からみて、第一の遮光領域ａ１、発光領域ｂを含む表示領域ｃに区画される。またこの表示装置は基盤１、光源２、遮光壁３、表示板４、拡散板５、前面パネル６を設ける。
【００１２】
基盤１は、例えば、板状のガラスエポキシ材に銅箔の配線パターンが印刷されたプリント基盤を適用でき、前面側に光源２が実装され、図示されていないが光源２の明滅を制御する制御装置が基盤１に同じく実装され、制御装置と光源２を導通するための回路パターンが印刷されている。
【００１３】
また基盤１は、制御装置へ装置外部からの制御情報を入力するためのコネクタと信号配線も備えている。
【００１４】
制御装置は、プログラムや入力されたデータ、演算経過、演算結果等を保持する記憶部、記憶部に保持された情報に基づいて所定の演算処理を行う演算部、また他機器との接続用インターフェース等を設けたマイクロコンピュータで構成し得る。
【００１５】
また基盤１の前面表面は暗色で低反射な塗装が施されている。
【００１６】
光源２は、基盤１の前面側に搭載され、上述の制御装置から受信した発光制御信号によりその明滅を制御されている。ここで言う明滅の制御とは、色温度の調節（調色）、光量の調節（調光）、点灯、消灯、点滅等の種々の発光パターンの制御を指す。
【００１７】
また光源２には種々の発光体を適用し得るが、一般的に発光ダイオード（ＬＥＤ）を用いることが好適とされる。
【００１８】
遮光壁３は、基盤１の前面に接するように存在し、且つ光源２の基盤１上の周辺を取り囲みながらも光源２の装置前面方向には開口部を設けるような形状をなしている。前述の形状によれば、光源２が発した光線は表示装置の使用者がいる装置前面方向にのみ出射され、視認性が向上する。この場合、遮光壁３は、光源２による点灯／消灯のセグメント（発光単位）毎に区画されるように設けられる。
【００１９】
また遮光壁３には暗色で低反射な塗装が施されている。
【００２０】
表示板４は表示基材４ａと、低反射処理層４ｂと、印刷層４ｃを設ける。
【００２１】
表示基材４ａは一般に板状の透光性のある合成樹脂材であり、この場合アクリル材等が適用される。また表示基材４ａは透光性有色部を有しており、本開示では有色の顔料を含む、いわゆるスモーク材として形成されている。したがって、表示基材４ａは所定の透光率が設定されており、この透光率を第一の透光率と呼称することとする。
【００２２】
低反射処理層４ｂは材料表面における光の反射率を低減するための部材または表面の加工であり、この場合はアクリル材の後面にモスアイ（Ｍｏｔｈ−ｅｙｅ：蛾の目）構造を有するシート材（モスアイフィルム）を貼付している。
【００２３】
モスアイフィルムは部材表面の光の反射率を低減するために用いるものであり、アンチグレアフィルムやアンチリフレクションフィルムも反射率を低減するという点では同じ目的を有する。特にモスアイフィルムの特徴は、表面に可視光波長以下（例えば、４００ｎｍ以下）の間隔で凹凸パターンを隙間なく配列することで、外界（空気）と部材表面との境界における屈折率の変化を擬似的に連続にし、境界に入射した光をほぼ透過するところにある。
【００２４】
印刷層４ｃは遮光性の素材により第一の遮光領域ａ１を規定している。この場合は低反射処理層４ｂの表面に黒インクを印刷することで遮光している。
【００２５】
拡散板５は、少なくとも遮光壁３の開口方向を覆うように設けられ、光源２から出射した光線の内、遮光壁３にも基盤１にも制限（遮光）されずに前面方向（出射方向）に出射した光線を拡散し、一つのセグメント内における輝度を均一にする。一般に透光性のある合成樹脂材が好適であるが、この場合は白色のポリカーボネート等が適用される。
【００２６】
前面パネル６は一般に透光性のある合成樹脂材を適用し、この場合はアクリル材等を用いる。また前面パネル６は表示板４の損傷防止も目的とした構造物であるため、使用者から見て表示板４の手前に設けられる。
【００２７】
また前面パネル６は透光性有色部を有しており、本開示では有色の顔料を含むいわゆるスモーク材として形成されている。したがって、前面パネル６は所定の透光率が設定されており、この透光率を第二の透光率と呼称することとする。
【００２８】
またこの第二の透光率は、表示基材４ａが有する第一の透光率と同等であっても、異なっていても表示装置としては成り立つが、表示基材４ａが有する第一の透光率の方が低いことが本発明の要旨を達するには好適である。
【００２９】
以上の構造物により、本表示装置は光源２の明滅の制御と、発光領域ｂの形状とにより使用者へ所望の情報を表示する。この場合、車両の走行速度や積算走行距離などの数値や燃料残量を示すバー表示など車両情報を表示できる。
【００３０】
以下に、上述実施形態がどのように発光領域ｂと第一の遮光領域ａ１との間の外観差を低減しシームレス感を実現しているかを説明する。
【００３１】
第一に、低反射処理層４ｂにより発光領域ｂにおける表示基材４ａの後面と空気との境界での反射が抑えられるからである。
【００３２】
従来の低反射処理層４ｂを設けない表示装置では、発光領域における表示基材の後面と空気との境界での外光の反射率が、印刷層での外光の反射率より大きく、光源消灯時に外光に表示領域が照らされると第一の遮光領域より発光領域が明るく見えるためにシームレス感が損なわれていた。しかし前述の通り、発光領域ｂにおける表示基材４ａの後面と空気との境界での反射を低反射処理層４ｂにより低減されることで外観差を低減することを達している。
したがって、例えば、本表示装置をオートバイなど太陽光に晒される環境下で使用される計器に適用される場合であっても、外観差がなく一体感のある表示板４となる。さらには、点灯／消灯状態の識別性の高い表示出力となり得る。
【００３３】
第二に、本開示の実施形態にある表示基材４ａと前面パネル６が有する透光性有色部により入射する外光が減少するからである。仮に図２の構成から透光性有色部を省いた場合、表示領域ｃに入射した外光量に、発光領域ｂでの反射率と第一の遮光領域ａ１での反射率との差を乗じた分だけ、使用者は第一の遮光領域ａ１と発光領域ｂの外観に差を感じる。
【００３４】
しかし図２に示すように透光性有色部を有することで、印刷層４ｃに入射する外光は元々の外光量に透光性有色部の透光率を乗じた分だけしか届かないので、使用者が感じる反射光量の差も少なくなり、外観差を低減することを達している。
【００３５】
第三に、基盤１及び遮光壁３に暗色で低反射な塗装を施し、外光の反射を低減しているからである。
【００３６】
光源消灯時に外光が発光領域ｂから表示装置内部に入射し、表示装置内構造物が使用者から視認できてしまうことがある。この原因を低減する手段として、基盤１及び遮光壁３に暗色で低反射な塗装を施すことで、光源消灯時に外光が入射したとしても、内部の構造物が反射する光が抑えられているので、外観差を低減することを達している。
【００３７】
第四に、本開示の表示装置が有する２つの透光性有色部の内、表示基材４ａが有する透光性有色部の透光率の方が低い点に由来する。
【００３８】
課題である第一の遮光領域ａ１と発光領域ｂのそれぞれにおける、表示基材４ａ後面で反射した２つの外光が、表示基材４ａと前面パネル６との間に存在する際、この時の２つの外光の光量差も低減されていることが望ましい。
【００３９】
この観点をより満たすには、もし第一の透光率と第二の透光率に差があるのならば、第一の透光率を小さくした方が、前記観点をより満たすことができる。
【００４０】
以上の作用により、本開示の第一の実施形態に係る表示装置は、光源消灯時の第一の遮光領域ａ１と発光領域ｂの外観差を低減することを達している。
【００４１】
次に本開示の第二の実施形態に係る表示装置を図示例を用いつつ説明する。
【００４２】
図３は、表示装置の要部断面図を示す。なお、上述実施形態と同様の部品構成については同じ符号を記して詳細な説明を省く。
【００４３】
第二の実施形態では第一の遮光領域ａ１と発光領域ｂに加え、第二の遮光領域ａ２も表示領域ｃの構成要素の一つとなっている。
【００４４】
第二の遮光領域ａ２は、印刷層４ｃに遮光されず、遮光壁３にのみ遮光されることで規定される領域である。
【００４５】
第二の遮光領域ａ２は、第一の遮光領域ａ１よりも微細な形状を表現が可能である。理由は、微細な遮光領域を印刷層４ｃによる第一の遮光領域ａ１で実現してしまうと、表示板４と遮光壁３の組み付け位置の誤差がわずかでも生じてしまうと、印刷層４ｃの輪郭外側に遮光壁３が露呈してしまう。
【００４６】
しかし、遮光壁３による第二の遮光領域ａ２で微細な遮光領域を実現することにより、表示板４と遮光壁３との位置合わせ誤差を考慮せずとも、より各発光領域ｂを近づけることができ、微細な遮光表現を実現することを達する。
【００４７】
そのため、例えば図１の表示装置においてはバーグラフの各セグメント間の仕切りは印刷層４ｃによる第一の遮光領域ａ１で表現するより、遮光壁３による第二の遮光領域ａ２で表現する方が好適である。
【００４８】
光源消灯時の発光領域ｂと第二の遮光領域ａ２との間の外観差について説明する。
【００４９】
この２つの領域の境界には印刷層４ｃが設けられておらず、発光領域ｂと第二の遮光領域ａ２の間における構造上の差として拡散板５の基盤１側に、遮光壁３があるか否か外観上の差があるのみである。
【００５０】
しかし、実際の使用上、拡散板５の基盤側の構造差を拡散板５を通して視認することで、遮光壁３の外形がぼやけて見え、さらに光量差が著しく少ないため、外観差は軽微である。
【００５１】
したがって、第二の遮光領域ａ２が存在する第二の実施形態においても、シームレス感のある表示装置を実現している。
【００５２】
なお、上述した実施形態の構成にて例に挙げて説明したが、本発明はこれに限定されるものではなく、他の構成においても、本発明の要旨を逸脱しない範囲において種々の改良、並びに表示の変更が可能なことは勿論である。例えば、基盤１上に制御装置を実装すると述べたが、制御装置を表示装置の外部に設けて、基盤１の配線パターンやコネクタを介して直接光源２の発光を制御する形態でもよい。
【００５３】
また拡散板５が図示例では遮光壁３の前面側表面を覆っているが、少なくとも図４のように遮光壁３が形成する開口部、つまり発光領域ｂを覆っていれば良い。
【００５４】
また遮光壁３の断面は図示例では長方形であり、基盤１に対して垂直な壁のように形成されているが、変形例を示している図４のように断面の形状は長方形でなくても良い。
【産業上の利用可能性】
【００５５】
本発明は、表示装置に関し、自動車やオートバイ、船舶などの移動体に搭載される計器装置として好適である。
【符号の説明】
【００５６】
ａ１  第一の遮光領域
ａ２  第二の遮光領域
ｂ  発光領域
ｃ  表示領域
１  基盤
２  光源
３  遮光壁
４  表示板
４ａ  表示基材
４ｂ  低反射処理層
４ｃ  印刷層
５  拡散板
６  前面パネル
【図１】
2019056735.tif 000003
【図２】
2019056735.tif 000004
【図３】
2019056735.tif 000005
【図４】
2019056735.tif 000006